(57)【要約】      （修正有）【課題】引戸を開けた場合に、所定時間内は自動的に閉鎖し、それ以後はフリーストップ機構が有効となる引戸機構を提供する。【解決手段】引戸２と、引戸２の開閉方向に沿って設けられたレール３と、レール３上を回転しつつ移動するように引戸２に設けられた車輪４とを具備すると共に、引戸２を自動的に閉位置に移動させる閉方向移動機構と、引戸２を任意位置に停止させるフリーストップ機構２０とを有する引戸機構において、引戸２が開方向に移動された場合に、フリーストップ機構２０の稼働を所定時間無効にする無効手段８０を具備した。【選択図】図２
2014051779.tif 000002
【特許請求の範囲】
【請求項１】
引戸と、該引戸の開閉方向に沿って設けられたレールと、該レール上を回転しつつ移動するように引戸に設けられた車輪とを具備すると共に、引戸を自動的に閉位置に移動させる閉方向移動機構と、引戸を任意位置に停止させるフリーストップ機構とを有する引戸機構において、
前記引戸が開方向に移動された場合に、前記フリーストップ機構の稼働を所定時間無効にする無効手段を具備することを特徴とする引戸機構。
【請求項２】
前記フリーストップ機構を前記レール上に保持するロック機構を設け、前記無効手段は、該ロック機構を所定時間無効にすることを特徴とする請求項１記載の引戸機構。
【請求項３】
前記ロック機構は、前記フリーストップ機構から延出し、前記フリーストップ機構を前記レールに対して押圧する固定プレートと、該固定プレートの押圧動作を有効にする固定位置及び前記固定プレートの押圧動作を無効にする無効位置の間を移動可能な操作プレートと、該操作プレートを、前記固定プレートの固定位置側に付勢する付勢手段とによって構成され、
前記無効手段は、前記付勢手段によって前記操作プレートを無効位置から固定位置に戻る速度を遅延させる遅延手段と、引戸の閉位置において前記操作プレートを無効位置に移動させるリセットプレートとによって構成されることを特徴とする請求項２記載の引戸機構。
【請求項４】
前記遅延手段は、前記操作プレートに当接するピストンロッド及びピストンロッドの移動速度を規制する流体が収納されたシリンダを有する流体圧ポンプであることを特徴とする請求項３記載の引戸機構。
【発明の詳細な説明】
【技術分野】
【０００１】
この発明は、引戸を任意の位置で停止させるようにした引戸のフリーストップ装置を具備した引戸機構に関する。
【背景技術】
【０００２】
特許文献１に開示される引戸の停止装置は、任意の位置に引戸を停止させるようにするために、引戸と、この引戸の開閉方向に沿って設けられたレールと、このレール状を回転しつつ移動するように上記引戸に設けられた車輪とからなる引戸において、上記車輪の回転方向に適宜のガイド装置により所定の範囲移動が許容されると共に、上記車輪の外周面に外周面を接触させた変形可能な弾性回転体を設け、また上記回転体の移動範囲の中間点に上記回転体の圧縮用定置部材を設けたものである。
【０００３】
特許文献２に開示される引戸は、自動的に閉じる吊り戸を人の開き位置にて停止させるために、戸板の上端に設けた戸車をレール状に載せて戸板をスライド可能に吊り下げ支持すると共に、レール状の任意位置にて停止可能なフリーストップ機能を備えた引戸において、フリーストップ機構は、戸板と一緒に移動可能且つ揺動可能に弾性係止部材を配備し、レール又はレールと平行に配備した長尺部材に対し弾性係止部材を、該弾性係止部材の自重又はバネ付勢により少し傾いて亜状態で接触させて構成され、係止部材の自由端が支持軸よりも戸板の閉じ側に位置している姿勢では、係止部材先端と該先端が接している相手部材の摩擦により、戸板の閉じ方向に軟ブレーキが利き、戸板を停止させることができるものである。
【０００４】
特許文献３に開示される引戸フリーストップ装置は、引戸から手を離すと自動的に閉じる方向にレール状を移動する引戸の引戸フリーストップ装置であって、前記フリーストップ装置は前記レールに押圧されることによって引戸を停止状態に維持する停止手段を備え、前記停止手段はそれ自身に形成した開口部を貫通する軸によって引戸側に取り付けた支持部材に支持され、前記停止手段は前記開口部に突出し前記軸に係合することによって停止手段の上方への移動を禁止し、前記軸との係合が解除された状態の時には停止手段の上方への移動を許容することができる係止部材を備えるものであり、これによって引戸を任意の位置に停止されることができるものである。
【０００５】
特許文献４に開示される引戸の停止装置は、引戸の移動速度が所定速度以上になったときに引戸を停止することにより、操作者の意に反して引戸が高速で開閉することにより操作者がバランスを崩すことを防ぐために、引戸の移動速度が所定速度以上になったときに、レールに対して弾性ブレーキ部材が押圧され、この状態が保持されるようにすることにより、引戸を停止するようにしたものであり、前記弾性ブレーキ部材が、引戸の戸車と共に回転する断面形状が略長方形又は略長方形回転軸に嵌合する断面形状が略長方形又は略長方形の軸孔を有し、該軸孔の長手方向と平行に略半円形に２分割された弾性ブレーキ片からなり、該２分割された両方の弾性ブレーキ片の一方の端部を、揺動軸を介して、他方の端部を、引張ばねを介してそれぞれ連結したことを特徴とするものである。
【先行技術文献】
【特許文献】
【０００６】
【特許文献１】特開平６−２９４２４９号公報
【特許文献２】特開平８−４２２３０号公報
【特許文献３】特開２００２−３２２８５２号公報
【特許文献４】特開２００６−３３６２６４号公報
【発明の概要】
【発明が解決しようとする課題】
【０００７】
上述したように、上記特許文献に記載されているような従来のフリーストップ装置は、基本的に引戸を開いた時に開いた位置で引戸を停止させ、閉鎖方向に所定に力を加えることによって停止装置が解除されて引戸が閉まるようになっているものである。
【０００８】
しかしながら、このフリーストップ装置を具備した引戸では、引戸を閉める際に、閉鎖方向に所定の力を加える必要があるため、荷物を持った場合など、閉めるのが困難な場合があり、通常の自動的に引戸が閉まる構造を有した引戸の方が使用しやすい場合があった。
【０００９】
このため、本願発明は、引戸を開けた場合に、所定時間内は自動的に閉鎖し、それ以後はフリーストップ機構が有効となる引戸機構を提供するものである。
【課題を解決するための手段】
【００１０】
したがって、本願発明に係る引戸機構は、引戸と、該引戸の開閉方向に沿って設けられたレールと、該レール上を回転しつつ移動するように引戸に設けられた車輪とを具備すると共に、引戸を自動的に閉位置に移動させる閉方向移動機構と、引戸を任意位置に停止させるフリーストップ機構とを有する引戸機構において、引戸が開方向に移動された場合に、前記フリーストップ機構の稼働を所定時間無効にする無効手段を具備することにある。
【００１１】
これによって、引戸を開いた場合、無効手段によって、所定時間（例えば、２〜３秒間）フリーストップ機構が無効となるため、引戸は自動的に閉鎖位置に戻ることができる。また、引戸を開けた状態に保持したい場合には、所定時間引戸を押さえることによってフリーストップ機構が有効となるため、引戸を開けた状態に保持できるものである。フリーストップ機構であるため、引戸を閉めたい場合には、引戸の閉方向に所定の力を付与することよって引戸を閉方向に移動させることができるものである。
【００１２】
また、前記フリーストップ機構を前記レール上に保持するロック機構を設けると共に、前記無効手段は、該ロック機構を所定時間無効にすることが望ましい。
【００１３】
フリーストップ機構を無効にする方法として、フリーストップ機構をレール上に保持固定するロック機構を設け、無効手段がこのロック機構を所定時間無効にするものであっても良い。この場合、ロック機構が無効となった場合、フリーストップ機構がレールに対して固定されないため、フリーストップ機構のストップ機能の力が弱まり、すぐにストップ機能が解除されるため、引戸は閉方向にすぐに移動できるものである。また、所定時間経過後にはロック機構が有効となるため、フリーストップ機構を通常通り作動させることが可能となるものである。
【００１４】
さらに、前記ロック機構は、前記フリーストップ機構から延出し、前記フリーストップ機構を前記レールに対して押圧する固定プレートと、該固定プレートの押圧動作を有効する固定位置及び前記固定プレートの押圧動作を無効にする無効位置の間を移動可能な操作プレートと、該操作プレートを、前記固定プレートの固定位置側に付勢する付勢手段とによって構成され、前記無効手段は、前記付勢手段によって前記操作プレートを無効位置から固定位置に戻る速度を遅延させる遅延手段と、引戸の閉位置において前記操作プレートを無効位置に移動させるリセットプレートとによって構成されることが望ましい。前記遅延手段としては、電気的タイマー、機械的タイマーによって動作を遅延させるものが好ましい。特に、本願発明では、前記遅延手段は、前記操作プレートに当接するピストンロッド及びピストンロッドの移動速度を規制する流体が収納されたシリンダを有する流体圧ポンプであることが望ましい。
【００１５】
これによって、引戸が開方向に移動された場合、操作プレートがリセットプレートから離脱することから、操作プレートの付勢手段が前記流体圧ポンプのピストンロッドを付勢し、これによってピストンロッドがシリンダ内に収納された流体の移動によって規制される時間で徐々に操作プレートを固定プレートの固定位置に移動させるため、所定時間後に操作プレートが固定プレートを固定するのでフリーストップ機構をレール上に固定でき、フリーストップ機能を有効にすることができるものである。尚、流体圧ポンプとしては、油圧ポンプ、水圧ポンプ、空気圧ポンプがあるが、油圧ポンプが最も好ましいものである。
【００１６】
以上のように、無効手段として機械式の構成を示したが、電気式、例えばフリーストップ機構をレールに対して電気的タイマーを使用して、電気的に無効にする構成としても良いものである。
【００１７】
さらに、上述した例では、フリーストップ機構をレールに対して所定時間固定を解除する構成としたが、フリーストップ機構自体を所定時間レールに対して所定時間非接触とするようにしても良いものである。この場合、前記遅延手段は、フリーストップ機構をレールに対して所定時間持ち上げる構造となるものである。
【発明の効果】
【００１８】
以上のように、本願発明によれば、引戸を開けた場合に、フリーストップ機構を所定時間、例えば数秒間無効にできるため、引戸を開けると自動的に引戸が閉まる状態になるので、荷物を持った場合など、引戸を開けて手を離すと自動的に引戸が閉まるものである。また、引戸を開けた状態で数秒間保持するだけで、フリーストップ機構を有効に戻すことができるために、通常通り引戸を開けた状態を維持できるものである。
【図面の簡単な説明】
【００１９】
【図１】図１は、本願発明の実施例に係る引戸機構の全体構成を示したもので、（ａ）は引戸がしまった状態、（ｂ）は引戸が開いた状態を示したものである。
【図２】図２は、本願発明の実施例に係るフリーストップ機構及びその無効機構を示したもので、（ａ）は平面図、（ｂ）は正面図である。
【図３】引戸が閉位置にある時のフリーストップ機構及びその無効機構を示した説明図である。
【図４】引戸が開かれ、引戸が戻る瞬間の状態を示した説明図である。
【図５】フリーストップ機構がロックされた状態を示した説明図である。
【発明を実施するための形態】
【００２０】
本願発明は、引戸と、該引戸の開閉方向に沿って設けられたレールと、該レール上を回転しつつ移動するように引戸に設けられた車輪とを具備すると共に、引戸を自動的に閉位置に移動させる閉方向移動機構と、引戸を任意位置に停止させるフリーストップ機構とを有する引戸機構において、引戸が開方向に移動された場合に、前記フリーストップ機構の稼働を所定時間無効にする無効手段を具備する引戸機構を提供することにある。以下、この発明に代表的な実施例について、図面により説明する。
【実施例】
【００２１】
図１（ａ）（ｂ）に示すように、本願発明の実施例に係る引戸機構１は、引戸２と、この引戸２の開閉方向に沿って設けられたレール３と、このレール３上を回転しつつ移動する車輪４がそれぞれに設けられた一対の吊下部５ａ，５ｂとを具備する。また、前記引戸機構１には、引戸２が自動的に閉位置に戻るように閉方向移動機構が設けられる。この閉方向移動機構として、この実施例では、牽引装置６が設けられる。この牽引装置６は、一端が引戸２に固定される牽引ワイヤー７と、この牽引ワイヤー７を引戸２の閉方向に引っ張る巻き取り部８とによって構成されるものである。また、閉方向移動機構として、前記レール３を閉方向に向けて下方に傾斜するように配置し、引戸２の自重によって閉方向に移動する構成であっても良いものである。
【００２２】
また、この実施例における引戸機構１には、引戸２の閉位置近傍には、制動装置１０が設けられている。この制動装置１０は、前記一方の吊下部５ａに設けられたピニオン１１と、このピニオン１１が噛合するラック１２とによって構成され、引戸２が閉位置近傍に戻ってきた時にピニオン１１がラック１２に噛合して引戸２の移動速度が減少されるものである。
【００２３】
さらに、図２（ａ）（ｂ）で示すように、前記引戸機構１の他方の吊下部５ｂには、フリーストップ機構２０とロッ機構３０が設けられる。前記フリーストップ機構２０は、いわゆる前述したような公知のフリーストップ機構である。この実施例において採用されたフリーストップ機構２０は、レール３に接触するストップローラ２２と、このストップローラ２２を所定の角度で保持する支持ロッド２１とによって基本的に構成される。この構成において、引戸２の閉位置にある場合には、支持ロッド２１は開方向に対して鋭角に傾斜するように位置しており、これによって引戸２は開方向に簡単に移動することが可能となる。また、引戸２を開方向に移動させた場合には、引戸２には引戸２を閉方向に移動させる力が自動的に付与されるが、支持ロッド２１が開方向に傾斜していることから、閉方向に働く力を支持ロッド２１で受けるため、引戸２は手を離した場所に停止する。また、引戸２の閉方向に手動により力を付勢した場合、前記支持ロッド２１が閉方向に対して鋭角に傾斜する位置に回動するため、引戸２は自動的に閉位置に向かって移動するものである。
【００２４】
本願発明に係る引戸機構１は、前記フリーストップ機構２０をレール３に対して固定するためのロック機構３０を有する。このロック機構３０は、前記フリーストップ機構２０の支持ロッド２１を回動自在に保持するケースハウジング２３に固定される固定プレート３１を具備する。この固定プレート３１は、支点３２と、この支点３２を中心とする回動を制限する長孔３３と、この固定プレート３１を下記する操作プレート４０に固定するための固定凸部３４とを具備する。さらに、前記操作プレート４０は、回動支点となる支点４１と、支点４１の一方の側に配置される前記固定凸部３４を保持するために保持部４２と、下記する油圧ポンプ５０のピストンロッド５１が当接するロッド当接部４３と、下記するリセットプレート７０が当接するリセットプレート当接部４４と、前記支点４１の他方の側に延出するアーム部４５には前記操作プレート４０を固定プレート３１側に付勢するスプリング６０が設けられる。これによって、操作プレート４０は、前記固定プレート３１の固定凸部３４を保持部４２に保持する固定位置と、前記固定凸部３４を保持部４２から離脱させる無効位置との間を回動可能であり、前記スプリング６０によって固定位置側に付勢された状態となっているものである。
【００２５】
また、無効機構８０は、前記引戸２の閉鎖位置において前記操作プレート４０を無効位置に押し戻すリセットプレート７０と、前記操作プレート４０の固定位置への戻り速度を制御する油圧ポンプ５０とによって構成される。油圧ポンプ５０は、前記操作プレート４０のロッド当接部４３に当接するピストンロッド５１と、このピストンロッド５１の移動速度を規制する油が収納されたシリンダ５２とによって構成される。前記ピストンロッド５１は、前記スプリング６０の付勢力よりも小さい力で前記ロッド当接部４３を押圧するので、図３で示すように、前記リセットプレート７０が前記操作プレート４０を無効位置に押し戻した場合、ピストンロッド５１は操作プレート４０の前記ロッド当接部４３の移動に伴ってシリンダ５２から延出してロッド当接部４３に当接する。
【００２６】
前記引戸２が、例えば図１（ａ）の位置（閉位置）から図１（ｂ）の位置（開位置）まで移動された場合、フリーストップ機構２０のロック機構３０及び無効機構８０は、図３に示された状態のままリセットプレート７０を離れることになる。この場合、固定プレート３１の固定凸部３４が操作プレート４０の保持部４２から離脱しているため、固定プレート３１は支点３２を中心として回動自在な状態となっていることから、フリーストップ機構２０は上下方向に容易に移動できる状態となっていることから、支持ロッド２１の保持力が大変弱くなるため、引戸２から手を離した瞬間に、図４に示すように、支持ロッド２１が引戸の閉方向に鋭角に傾斜するように回動することから、引戸２の停止力がなくなるため、引戸２は牽引装置６の牽引ワイヤー７によって閉方向に移動するものである。
【００２７】
また、引戸２を所定位置に停止させたい場合には、前記引戸２の数秒間（例えば、２秒〜３秒の間）保持する。これによって、前記スプリング６０が操作プレート４０を固定位置方向に付勢するため、前記操作プレート４０のロッド当接部４３がピストンロッド５１を数秒間でシリンダ５２内に押し込むため、図５に示すように、操作プレート４０の保持部４２が前記固定凸部３４を保持するので、前記フリーストップ機構２０は、通常の状態に戻るため、手動により閉じる方向に力が加えられるまで、引戸２は開位置において停止することになるものである。
【００２８】
以上のように、本願発明によれば、フリーストップ機構２０を引戸２の開状態において数秒間無効にできるために、荷物を持った状態など、引戸の閉鎖を自動的に行うことが可能となるものである。また、引戸を開けた状態で数秒間保持するだけで、フリーストップ機構を有効にできるため、引戸を開けた状態で保持することができるものである。
【００２９】
また、本願発明は、いずれのフリーストップ機構においても採用することができるものである。
【符号の説明】
【００３０】
１  引戸機構
２  引戸
３  レール
４  車輪
５ａ，５ｂ  吊下部
６  牽引装置
７  牽引ワイヤー
８  巻き取り部
１０  制動装置
２０  フリーストップ機構
２１  支持ロッド
２２  ストップローラ
２３  ケースハウジング
３０  ロック機構
３１  固定プレート
３４  固定凸部
４０  操作プレート
４２  保持部
４３  ロッド当接部
４４  リセットプレート当接部
７０  リセットプレート
８０  無効機構
【図１】
2014051779.tif 000003
【図２】
2014051779.tif 000004
【図３】
2014051779.tif 000005
【図４】
2014051779.tif 000006
【図５】
2014051779.tif 000007